(57)【要約】【課題】  本発明は、音声出力端末に設けられたバッテリの充電が切れてしまった場合にも、バッテリへの充電を行いながら音声出力端末からの音声出力を行うことができ、音声再生端末によって再生された音声信号を聴取することができる音声出力システムおよび音声出力端末の充電方法を提供することを課題とする。【解決手段】  音声再生端末１０は、再生端末用バッテリ１３から供給される電源に基づいて、音声出力端末２０に供給する充電用電源を生成し、当該充電用電源と音声信号とを混合し、信号ケーブル４０を介して混合した音声信号および充電用電源を音声出力端末２０に出力し、音声出力端末２０は、信号ケーブル４０を介して混合された音声信号および充電用電源を入力し、入力した音声信号および充電用電源を分離し、分離した音声信号を音声出力すると共に、分離した充電用電源を出力端末用バッテリ２４の充電に用いる。【選択図】        図１
2006053952.tif 000002
【特許請求の範囲】
【請求項１】
音声再生手段によって音声信号を再生し、当該音声信号を無線送信手段によって無線伝送する音声再生端末と、無線受信手段によって前記音声再生端末から無線伝送された前記音声信号を受信し、当該音声信号を音声出力する音声出力端末とからなる音声出力システムであって、
前記音声再生端末は、前記音声出力端末に供給する充電用電源を生成する出力端末用電源生成手段と、
前記音声再生手段、無線送信手段および前記出力端末用電源生成手段に電源を供給する再生端末用バッテリと、
前記音声再生手段によって再生された前記音声信号と前記出力端末用電源生成手段によって生成された前記充電用電源とを混合する混合手段と、
該混合手段によって混合された前記音声信号および前記充電用電源を出力する信号出力端子とを具備し、
前記音声出力端末は、混合された前記音声信号および前記充電用電源を入力する信号入力端子と、
該信号入力端子に入力された前記音声信号および前記充電用電源を分離する分離手段と、
前記無線受信手段に電源を供給する出力端末用バッテリとを具備し、
前記音声再生端末の前記信号出力端子と前記音声出力端末の前記信号入力端子とが信号ケーブルによって接続された場合には、前記音声出力端末は、前記分離手段によって分離された前記音声信号を音声出力すると共に、前記分離手段によって分離された前記充電用電源を前記出力端末用バッテリの充電に用いることを特徴とする音声出力システム。
【請求項２】
前記音声再生端末は、前記信号出力端子に前記信号ケーブルが接続された場合には、前記再生端末用バッテリから前記無線送信手段への電源の供給を停止させ、
前記音声出力端末は、前記信号入力端子に前記信号ケーブルが接続された場合には、前記出力端末用バッテリから前記無線受信手段への電源の供給を停止させることを特徴とする請求項１記載の音声出力システム。
【請求項３】
出力端末用バッテリから供給される電源によって駆動され、音声再生端末から無線伝送された音声信号を受信し、当該音声信号を音声出力する音声出力端末の充電方法であって、
前記音声再生端末は、前記音声信号の再生および前記音声信号の無線伝送のための電源を供給する再生端末用バッテリから供給される電源に基づいて、前記音声出力端末に供給する充電用電源を生成し、
当該充電用電源と前記音声信号とを混合し、
信号ケーブルを介して混合した前記音声信号および前記充電用電源を前記音声出力端末に出力し、
前記音声出力端末は、前記信号ケーブルを介して混合された前記音声信号および前記充電用電源を入力し、
入力した前記音声信号および前記充電用電源を分離し、
分離した前記音声信号を音声出力すると共に、分離した前記充電用電源を前記出力端末用バッテリの充電に用いることを特徴とする音声出力端末の充電方法。
【請求項４】
前記音声出力端末は、前記信号ケーブルが接続された場合には、前記出力端末用バッテリから前記音声信号の受信のための電源の供給を停止することを特徴とする請求項３記載の音声出力端末の充電方法。
【発明の詳細な説明】
【技術分野】
【０００１】
本発明は、ＭＤプレーヤやハードディスクプレーヤ等の音声再生端末とスピーカやヘッドフォン等の音声出力端末とからなる音声出力システムおよび音声出力端末の充電方法に関し、特に音声再生端末と音声出力端末とをケーブルで接続することなく、音声再生端末で再生した音声信号を音声出力端末に無線伝送し、音声出力端末から音声出力する音声出力システムおよび音声出力端末の充電方法に関する。
【背景技術】
【０００２】
近年、ＭＤプレーヤやハードディスクプレーヤ等の音声再生端末とスピーカやヘッドフォン等の音声出力端末とをケーブルで接続することなく、音声再生端末で再生した音声信号を音声出力端末に無線伝送し、音声出力端末から音声出力する音声出力システムが提案されている。
【０００３】
このような音声出力システムにおいては、音声出力端末に音声再生端末から電源を供給することができないため、音声出力端末にもバッテリが設けられており、当該バッテリからの電源供給によって、無線伝送された音声信号を受信し、受信した音声信号を増幅して音声出力するように構成されている（例えば、特許文献１参照）
【０００４】
しかしながら、従来技術では、音声出力端末に設けられたバッテリの充電が切れてしまった場合には、バッテリの交換やバッテリへの充電が行われるまで、音声出力端末からの音声出力を行うことができなくなってしまい、音声再生端末によって再生された音声信号を聴取することができなくなってしまうという問題点があった。
【特許文献１】特開２００３−２２４６４５号公報
【発明の開示】
【発明が解決しようとする課題】
【０００５】
本発明は斯かる問題点に鑑みてなされたものであり、その目的とするところは、音声出力端末に設けられたバッテリの充電が切れてしまった場合にも、バッテリへの充電を行いながら音声出力端末からの音声出力を行うことができ、音声再生端末によって再生された音声信号を聴取することができる音声出力システムおよび音声出力端末の充電方法を提供する点にある。
【課題を解決するための手段】
【０００６】
本発明は上記課題を解決すべく、以下に掲げる構成とした。
本発明の音声出力システムは、音声再生手段によって音声信号を再生し、当該音声信号を無線送信手段によって無線伝送する音声再生端末と、無線受信手段によって前記音声再生端末から無線伝送された前記音声信号を受信し、当該音声信号を音声出力する音声出力端末とからなる音声出力システムであって、前記音声再生端末は、前記音声出力端末に供給する充電用電源を生成する出力端末用電源生成手段と、前記音声再生手段、無線送信手段および前記出力端末用電源生成手段に電源を供給する再生端末用バッテリと、前記音声再生手段によって再生された前記音声信号と前記出力端末用電源生成手段によって生成された前記充電用電源とを混合する混合手段と、該混合手段によって混合された前記音声信号および前記充電用電源を出力する信号出力端子とを具備し、前記音声出力端末は、混合された前記音声信号および前記充電用電源を入力する信号入力端子と、該信号入力端子に入力された前記音声信号および前記充電用電源を分離する分離手段と、前記無線受信手段に電源を供給する出力端末用バッテリとを具備し、前記音声再生端末の前記信号出力端子と前記音声出力端末の前記信号入力端子とが信号ケーブルによって接続された場合には、前記音声出力端末は、前記分離手段によって分離された前記音声信号を音声出力すると共に、前記分離手段によって分離された前記充電用電源を前記出力端末用バッテリの充電に用いることを特徴とする。
【０００７】
さらに、本発明の音声出力システムは、前記音声再生端末は、前記信号出力端子に前記信号ケーブルが接続された場合には、前記再生端末用バッテリから前記無線送信手段への電源の供給を停止させ、前記音声出力端末は、前記信号入力端子に前記信号ケーブルが接続された場合には、前記出力端末用バッテリから前記無線受信手段への電源の供給を停止させることを特徴とする。
【０００８】
本発明の音声出力端末の充電方法は、出力端末用バッテリから供給される電源によって駆動され、音声再生端末から無線伝送された音声信号を受信し、当該音声信号を音声出力する音声出力端末の充電方法であって、前記音声再生端末は、前記音声信号の再生および前記音声信号の無線伝送のための電源を供給する再生端末用バッテリから供給される電源に基づいて、前記音声出力端末に供給する充電用電源を生成し、当該充電用電源と前記音声信号とを混合し、信号ケーブルを介して混合した前記音声信号および前記充電用電源を前記音声出力端末に出力し、前記音声出力端末は、前記信号ケーブルを介して混合された前記音声信号および前記充電用電源を入力し、入力した前記音声信号および前記充電用電源を分離し、分離した前記音声信号を音声出力すると共に、分離した前記充電用電源を前記出力端末用バッテリの充電に用いることを特徴とする。
【０００９】
さらに、本発明の音声出力端末の充電方法は、前記音声出力端末は、前記信号ケーブルが接続された場合には、前記出力端末用バッテリから前記音声信号の受信のための電源の供給を停止することを特徴とする。
【発明の効果】
【００１０】
本発明の音声出力システムおよび音声出力端末の充電方法は、音声再生端末は、音声信号の再生および音声信号の無線伝送のための電源を供給する再生端末用バッテリから供給される電源に基づいて、音声出力端末に供給する充電用電源を生成し、当該充電用電源と音声信号とを混合し、信号ケーブルを介して混合した音声信号および充電用電源を音声出力端末に出力し、音声出力端末は、信号ケーブルを介して混合された音声信号および充電用電源を入力し、入力した音声信号および充電用電源を分離し、分離した音声信号を音声出力すると共に、分離した充電用電源を出力端末用バッテリの充電に用いるように構成することにより、音声出力端末に設けられたバッテリの充電が切れてしまった場合にも、バッテリへの充電を行いながら音声出力端末からの音声出力を行うことができ、音声再生端末によって再生された音声信号を聴取することができるという効果を奏する。
【００１１】
さらに、本発明の音声出力システムおよび音声出力端末の充電方法は、音声再生端末は、信号ケーブルが接続された場合には、再生端末用バッテリから音声信号の送信のための電源の供給を停止し、音声出力端末は、信号ケーブルが接続された場合には、出力端末用バッテリから音声信号の受信のための電源の供給を停止するように構成することにより、音声再生端末においては、再生端末用バッテリから音声出力端末に充電用電源を供給しても音声信号の再生のために供給する電源に影響を与えることなく、音声出力端末においては、音声再生端末から供給された充電用電源によって効率よく出力端末用バッテリの充電を行うことができるという効果を奏する。
【発明を実施するための最良の形態】
【００１２】
以下、本発明の実施の形態を図面に基づいて詳細に説明する。
【００１３】
図１は、本発明に係る音声出力システムの実施の形態の構成を示すブロック図である。
【００１４】
本実施の形態の音声出力システムは、図１を参照すると、音声再生端末１０と、音声出力端末２０と、クレードル３０と、音声再生端末１０と音声出力端末２０とを接続する信号ケーブル４０と、音声再生端末１０とクレードル３０とを接続する再生端末用電源ケーブル５０と、音声出力端末２０とクレードル３０とを接続する出力端末用電源ケーブル６０とを備えている。
【００１５】
音声再生端末１０は、音声再生部１１と、無線送信部１２と、音声再生部１１および無線送信部１２に電源を供給する再生端末用バッテリ１３と、音声出力端末２０に供給する充電用電源を生成する出力端末用電源生成部１４と、音声再生部１１によって再生された音声信号と出力端末用電源生成部１４によって生成された充電用電源とを混合する混合部１５と、混合部１５によって混合された音声信号および充電用電源を接続された信号ケーブル４０から出力する信号出力端子１６と、信号出力端子１６への信号ケーブル４０の接続を検出する接続検出部１７と、接続された再生端末用電源ケーブル５０から再生端末用バッテリ１３を充電するための充電用電源が入力される電源入力端子１８とからなる。
【００１６】
音声再生部１１は、再生端末用バッテリ１３から供給される電源によって駆動され、ＭＤやハードディスク等の記録媒体に記録された音響情報を読み出して、復調処理、符号誤り訂正処理およびＤ／Ａ変換処理を行って音声信号を生成し、生成した音声信号を無線送信部１２もしくは混合部１５のいずれかに出力する。
【００１７】
無線送信部１２は、再生端末用バッテリ１３から供給される電源によって駆動され、音声再生部１１で再生された音声信号を音声出力端末２０に無線伝送する無線送信手段であり、音声再生部１１から入力された音声信号により搬送波信号を変調し、変調した搬送波信号を増幅して音声出力端末２０に向けて無線伝送する。
【００１８】
音声出力端末２０は、無線受信部２１と、音声出力部２２と、音声信号を音声出力するスピーカ２３と、無線受信部２１および音声出力部２２に電源を供給する出力端末用バッテリ２４と、接続された信号ケーブル４０から混合された音声信号および充電用電源が入力される信号入力端子２５と、信号入力端子２５に入力された音声信号および充電用電源を分離する分離部２６と、信号入力端子２５への信号ケーブル４０の接続を検出する接続検出部２７と、出力端末用バッテリ２４を充電するための充電用電源が入力される電源入力端子２８からなる。
【００１９】
無線受信部２１は、出力端末用バッテリ２４から供給される電源によって駆動され、音声再生端末１０からの搬送波信号を受信し、受信した搬送波信号を音声信号に復調して、復調した音声信号を音声出力部２２に出力する。
【００２０】
音声出力部２２は、出力端末用バッテリ２４から供給される電源によって駆動され、無線受信部２１から入力された音声信号を増幅し、増幅した音声信号をスピーカ２３から音声出力する。
【００２１】
クレードル３０は、図示しない電源ケーブルによって外部から供給された電源に基づいて、音声再生端末１０および音声出力端末２０に供給する充電用電源を生成する装置であり、音声再生端末１０の再生端末用バッテリ１３を充電するための充電用電源を生成する再生端末用電源生成部３１と、音声出力端末２０の出力端末用バッテリ２４を充電するための充電用電源を生成する出力端末用電源生成部３２と、再生端末用電源生成部３１によって生成された充電用電源を接続された再生端末用電源ケーブル５０に出力する第１電源出力端子３３と、出力端末用電源生成部３２によって生成された充電用電源を接続された出力端末用電源ケーブル６０に出力する第２電源出力端子３４とからなる。
【００２２】
次に、本実施の形態の動作について図２乃至図６を参照して詳細に説明する。
図２は、図１に示す音声出力システムの無線伝送による音声出力動作を説明する説明図であり、図３は、図１に示す音声出力システムの有線接続による音声出力動作を説明する説明図であり、図４は、図１に示すクレードルから音声再生端末への電源供給時の無線伝送による音声出力動作を説明する説明図であり、図５は、図１に示すクレードルから音声再生端末への電源供給時の有線接続による音声出力動作を説明する説明図であり、図６は、図１に示すクレードルから音声再生端末および音声出力端末への電源供給時の無線伝送による音声出力動作を説明する説明図である。
【００２３】
まず、本実施の形態の音声出力システムにおける無線伝送による音声出力動作について図２を参照して詳細に説明する。なお、図２には、信号ケーブル４０、再生端末用電源ケーブル５０および出力端末用電源ケーブル６０が接続されていない状態が示されており、音声再生端末１０の再生端末用バッテリ１３および音声出力端末２０の出力端末用バッテリ２４の充電が残っている時の使用形態を示している。
【００２４】
音声再生端末１０において、信号出力端子１６に信号ケーブル４０が接続されていない状態では、再生端末用バッテリ１３から音声再生部１１および無線送信部１２に電源が供給され、音声再生部１１によって再生された音声信号は、無線送信部１２によって搬送波信号として音声出力端末２０に向けて無線伝送される。
【００２５】
音声出力端末２０において、信号入力端子２５に信号ケーブル４０が接続されていない状態では、出力端末用バッテリ２４から無線受信部２１および音声出力部２２に電源から供給され、無線受信部２１によって搬送波信号から復調された音声信号は、音声出力部２２によって増幅されたスピーカ２３から音声出力される。
【００２６】
次に、本実施の形態の音声出力システムにおける有線接続による音声出力動作について図３を参照して詳細に説明する。なお、図３には、信号ケーブル４０が信号出力端子１６と信号入力端子２５との間に接続され、再生端末用電源ケーブル５０および出力端末用電源ケーブル６０が接続されていない状態が示されており、音声再生端末１０の再生端末用バッテリ１３の充電が残っていて、音声出力端末２０の出力端末用バッテリ２４の充電が切れている時の使用形態を示している。
【００２７】
音声再生端末１０において、信号出力端子１６に信号ケーブル４０が接続された状態では、接続検出部１７から再生端末用バッテリ１３に接続検出信号が出力され、出力端末用バッテリ２４から無線受信部２１および出力端末用電源生成部１４に電源から供給され、無線送信部１２への電源の供給は停止される。音声再生部１１によって再生された音声信号と、出力端末用電源生成部１４によって生成された充電用電源とは、混合部１５によって混合され、混合された音声信号および充電用電源は、信号出力端子１６から接続された信号ケーブル４０に出力される。
【００２８】
音声出力端末２０において、信号入力端子２５に信号ケーブル４０が接続された状態では、接続検出部２７から出力端末用バッテリ２４に接続検出信号が出力され、出力端末用バッテリ２４から無線受信部２１および音声出力部２２への電源の供給が停止される。信号入力端子２５から入力された音声信号および充電用電源は、分離部２６によって分離され、分離された音声信号は、スピーカ２３から音声出力されると共に、分離された充電用電源は、出力端末用バッテリ２４の充電に用いられる。
【００２９】
次に、本実施の形態の音声出力システムにおけるクレードル３０から音声再生端末１０への電源供給時の無線伝送による音声出力動作について図４を参照して詳細に説明する。なお、図４には、再生端末用電源ケーブル５０が第１電源出力端子３３と電源入力端子１８との間に接続され、信号ケーブル４０および出力端末用電源ケーブル６０が接続されていない状態が示されており、音声再生端末１０の再生端末用バッテリ１３の充電が切れており、音声出力端末２０の出力端末用バッテリ２４の充電が残っている時の使用形態を示している。
【００３０】
クレードル３０の再生端末用電源生成部３１によって生成された充電用電源が第１電源出力端子３３から再生端末用電源ケーブル５０を介して電源入力端子１８に入力され、入力された充電用電源は、再生端末用バッテリ１３の充電に用いられる。
【００３１】
音声再生端末１０において、信号出力端子１６に信号ケーブル４０が接続されていない状態では、再生端末用バッテリ１３から音声再生部１１および無線送信部１２に電源が供給され、音声再生部１１によって再生された音声信号は、無線送信部１２によって搬送波信号として音声出力端末２０に向けて無線伝送される。
【００３２】
音声出力端末２０において、信号入力端子２５に信号ケーブル４０が接続されていない状態では、出力端末用バッテリ２４から無線受信部２１および音声出力部２２に電源から供給され、無線受信部２１によって搬送波信号から復調された音声信号は、音声出力部２２によって増幅されたスピーカ２３から音声出力される。
【００３３】
次に、本実施の形態の音声出力システムにおけるクレードル３０から音声再生端末１０への電源供給時の有線接続による音声出力動作について図５を参照して詳細に説明する。なお、図５には、信号ケーブル４０が信号出力端子１６と信号入力端子２５との間に接続されていると共に、再生端末用電源ケーブル５０が第１電源出力端子３３と電源入力端子１８との間に接続され、出力端末用電源ケーブル６０が接続されていない状態が示されており、音声再生端末１０の再生端末用バッテリ１３および音声出力端末２０の出力端末用バッテリ２４の充電が切れている時の使用形態を示している。
【００３４】
クレードル３０の再生端末用電源生成部３１によって生成された充電用電源が第１電源出力端子３３から再生端末用電源ケーブル５０を介して電源入力端子１８に入力され、入力された充電用電源は、再生端末用バッテリ１３の充電に用いられる。
【００３５】
音声再生端末１０において、信号出力端子１６に信号ケーブル４０が接続された状態では、接続検出部１７から再生端末用バッテリ１３に接続検出信号が出力され、出力端末用バッテリ２４から無線受信部２１および出力端末用電源生成部１４に電源から供給され、無線送信部１２への電源の供給は停止される。音声再生部１１によって再生された音声信号と、出力端末用電源生成部１４によって生成された充電用電源とは、混合部１５によって混合され、混合された音声信号および充電用電源は、信号出力端子１６から接続された信号ケーブル４０に出力される。
【００３６】
音声出力端末２０において、信号入力端子２５に信号ケーブル４０が接続された状態では、接続検出部２７から出力端末用バッテリ２４に接続検出信号が出力され、出力端末用バッテリ２４から無線受信部２１および音声出力部２２への電源の供給が停止される。信号入力端子２５から入力された音声信号および充電用電源は、分離部２６によって分離され、分離された音声信号は、スピーカ２３から音声出力されると共に、分離された充電用電源は、出力端末用バッテリ２４の充電に用いられる。
【００３７】
次に、本実施の形態の音声出力システムにおけるクレードル３０から音声再生端末１０および音声出力端末２０への電源供給時の無線伝送による音声出力動作について図６を参照して詳細に説明する。なお、図６には、再生端末用電源ケーブル５０が第１電源出力端子３３と電源入力端子１８との間に接続されていると共に、出力端末用電源ケーブル６０が第２電源出力端子３４と電源入力端子２８との間に接続され、信号ケーブル４０が接続されていない状態が示されており、音声再生端末１０の再生端末用バッテリ１３および音声出力端末２０の出力端末用バッテリ２４の充電が切れている時の使用形態を示している。
【００３８】
クレードル３０の再生端末用電源生成部３１によって生成された充電用電源が第１電源出力端子３３から再生端末用電源ケーブル５０を介して電源入力端子１８に入力され、入力された充電用電源は、再生端末用バッテリ１３の充電に用いられる。
【００３９】
音声再生端末１０において、信号出力端子１６に信号ケーブル４０が接続されていない状態では、再生端末用バッテリ１３から音声再生部１１および無線送信部１２に電源が供給され、音声再生部１１によって再生された音声信号は、無線送信部１２によって搬送波信号として音声出力端末２０に向けて無線伝送される。
【００４０】
クレードル３０の出力端末用電源生成部３２によって生成された充電用電源が第２電源出力端子３４から出力端末用電源ケーブル６０を介して電源入力端子２８に入力され、入力された充電用電源は、出力端末用バッテリ２４の充電に用いられる。
【００４１】
音声出力端末２０において、信号入力端子２５に信号ケーブル４０が接続されていない状態では、出力端末用バッテリ２４から無線受信部２１および音声出力部２２に電源から供給され、無線受信部２１によって搬送波信号から復調された音声信号は、音声出力部２２によって増幅されたスピーカ２３から音声出力される。
【００４２】
以上説明したように、本実施の形態によれば、音声再生端末１０は、音声信号の再生および音声信号の無線伝送のための電源を供給する再生端末用バッテリ１３から供給される電源に基づいて、音声出力端末２０に供給する充電用電源を生成し、当該充電用電源と音声信号とを混合し、信号ケーブル４０を介して混合した音声信号および充電用電源を音声出力端末２０に出力し、音声出力端末２０は、信号ケーブル４０を介して混合された音声信号および充電用電源を入力し、入力した音声信号および充電用電源を分離し、分離した音声信号を音声出力すると共に、分離した充電用電源を出力端末用バッテリ２４の充電に用いるように構成することにより、音声出力端末２０に設けられた出力端末用バッテリ２４の充電が切れてしまった場合にも、出力端末用バッテリ２４への充電を行いながら音声出力端末２０からの音声出力を行うことができ、音声再生端末１０によって再生された音声信号を聴取することができるという効果を奏する。
【００４３】
さらに、本実施の形態によれば、音声再生端末１０は、信号ケーブル４０が接続された場合には、再生端末用バッテリ１３から音声信号の送信のための電源の供給を停止し、音声出力端末２０は、信号ケーブル４０が接続された場合には、出力端末用バッテリ２４から音声信号の受信のための電源の供給を停止するように構成することにより、音声再生端末１０においては、再生端末用バッテリ１３から音声出力端末２０に充電用電源を供給しても音声信号の再生のために供給する電源に影響を与えることなく、音声出力端末２０においては、音声再生端末１０から供給された充電用電源によって効率よく出力端末用バッテリの充電を行うことができるという効果を奏する。
【００４４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４５】
【図１】本発明に係る音声出力システムの実施の形態の構成を示すブロック図である。
【図２】図１に示す音声出力システムの無線伝送による音声出力動作を説明する説明図である。
【図３】図１に示す音声出力システムの有線接続による音声出力動作を説明する説明図である。
【図４】図１に示すクレードルから音声再生端末への電源供給時の無線伝送による音声出力動作を説明する説明図である。
【図５】図１に示すクレードルから音声再生端末への電源供給時の有線接続による音声出力動作を説明する説明図である。
【図６】図１に示すクレードルから音声再生端末および音声出力端末への電源供給時の無線伝送による音声出力動作を説明する説明図である。
【符号の説明】
【００４６】
１０  音声再生端末
１１  音声再生部
１２  無線送信部
１３  再生端末用バッテリ
１４  出力端末用電源生成部
１５  混合部
１６  信号出力端子
１７  接続検出部
１８  電源入力端子
２０  音声出力端末
２１  無線受信部
２２  音声出力部
２３  スピーカ
２４  出力端末用バッテリ
２５  信号入力端子
２６  分離部
２７  接続検出部
２８  電源入力端子
３０  クレードル
３１  再生端末用電源生成部
３２  出力端末用電源生成部
３３  第１電源出力端子
３４  第２電源出力端子
４０  信号ケーブル
５０  再生端末用電源ケーブル
６０  出力端末用電源ケーブル
【図１】
2006053952.tif 000003
【図２】
2006053952.tif 000004
【図３】
2006053952.tif 000005
【図４】
2006053952.tif 000006
【図５】
2006053952.tif 000007
【図６】
2006053952.tif 000008